(57)【要約】【課題】２つの筐体の回転方向のずれが抑えられた携帯電話機を提供すること。【解決手段】第１面を有する第１筐体と、前記第１筐体に接続され、前記第１面に垂直に設けられた第１軸と、第２面を有し、前記第２面が前記第１面と平行な状態で前記第１軸周りに回動可能な第２筐体と、前記第１面上に設けられた第１嵌合部と、前記第２面上に設けられた第２嵌合部と、を具備する。前記第１嵌合部及び前記第２嵌合部は、前記第２面が前記第１面に対向した際に嵌合する。【選択図】図７Ａ
2007335949.tif 000002
【特許請求の範囲】
【請求項１】
第１面を有する第１筐体と、
前記第１筐体に接続され、前記第１面に垂直に設けられた第１軸と、
第２面を有し、前記第２面が前記第１面と平行な状態で前記第１軸周りに回動可能な第２筐体と、
前記第１面上に設けられた第１嵌合部と、
前記第２面上に設けられた第２嵌合部と、
を具備し、
前記第１嵌合部及び前記第２嵌合部は、前記第２面が前記第１面に対向した際に嵌合する
携帯電話機。
【請求項２】
請求項１に記載された携帯電話機であって、
更に、
前記第１軸に直交し、前記第１軸周りに回動する第２軸
を具備し、
前記第２筐体は、前記第２軸周りにも回動可能であり、
前記第２筐体は、前記第２軸を介して前記第１軸周りに回動可能である
携帯電話機。
【請求項３】
請求項２に記載された携帯電話機であって、
前記第２筐体は、前記第２面に平行な裏面である第３面を有し、
前記第３面上には、第３嵌合部が設けられ、
前記第３嵌合部は、前記第３面が前記第１面に対向した際に、前記第１嵌合部と嵌合するように設けられている
携帯電話機。
【請求項４】
請求項１乃至３のいずれかに記載された携帯電話機であって、
前記第１嵌合部は、２つの凹部であり、
前記第２嵌合部は、２つの凸部である
携帯電話機。
【請求項５】
請求項１乃至３のいずれかに記載された携帯電話機であって、
前記第１嵌合部は、２つの凸部であり、
前記第２嵌合部は、２つの凹部である
携帯電話機。
【請求項６】
請求項１乃至５のいずれかに記載された携帯電話機であって、
前記第１面上には送話器が設けられ、
前記第２面上には受話器が設けられている
携帯電話機。
【請求項７】
請求項１乃至６のいずれかに記載された携帯電話器であって、
前記第２面上には、表示画面がもうけられている
携帯電話機。
【請求項８】
請求項１乃至７のいずれかに記載された携帯電話機であって、
前記第１嵌合部は、前記第１面上に貼り付けられた弾性材に形成されている
携帯電話機。
【請求項９】
請求項１乃至８のいずれかに記載された携帯電話機であって、
前記第１嵌合部は、前記第１軸と前記第１面とが交差する側の反対側に設けられている
携帯電話機。
【発明の詳細な説明】
【技術分野】
【０００１】
本発明は携帯電話機に関する。
【背景技術】
【０００２】
第１の筐体と、第２の筐体と、ヒンジ部と、を備え、そのヒンジ部により広げたり閉じたりすることのできる携帯電話機が知られている。その閉じ方の一つとして、第１の筐体と第２の筐体とを平行にした状態で、ヒンジ部を軸として第２の筐体を平面方向（第１の筐体、第２の筐体に平行な平面）に回動させる方式（以下、平面回動方式）が知られている。
【０００３】
図１は、上述の平面回動方式の携帯電話機を開いた時の状態を示す平面図である。２つの筐体のうち、第１の筐体１０２の一面上にはキーボタン１０５や送話器１０６が設けられている。一方、第２の筐体１０１の一面上には、表示画面１０４や受話器１０４が設けられている。
【０００４】
図２の状態において、第２の筐体１０１は、ヒンジ部１０３を軸として平面（紙面に平行な平面）方向に回動することができる。平面方向に９０°回動したときの状態が、図２に描かれている。図２の状態から更に回動させ、合計１８０°回動した状態が図３に描かれている。図３には、携帯電話機が、表示画面などの設けられた面を外側に向けた状態で閉じられている様子が描かれている。
【０００５】
一方、図２の状態において、第２の筐体１０１を、表示画面１０４等が設けられた面とその背面とが逆になるように回動させることもできる。そして、これらの面が逆となった状態でも、図２と同様に平面方向に回動させることができる。図４は、このようにして携帯電話機を閉じた状態を示している。即ち、図４では、携帯電話機が、表示画面などの設けられた面を内側に向けた状態で閉じられている。
【０００６】
ところで、このように平面回動方式の携帯電話機を閉じた際、第１の筐体１０２と第２の筐体１０１との相対位置が所望の位置から回転方向にずれてしまう場合がある。これは、筐体やヒンジ部等の各部品を製造する際における寸法ばらつきや、各部品を組み立てた際の組み立てばらつきによるものである。このようなずれは、図５に示されるように、表示画面などを内側にした状態でも起こり得るし、図６に示されるように、表示画面などを外側にした状態でも起こり得る。
【０００７】
２つの筐体の回転方向のずれを抑えるための技術が望まれている。
【０００８】
上記と関連して、特許文献１には、携帯式コンピュータの止め合わせを行うための装置が記載されている。
【特許文献１】特開２００４−２７２８６９号  公報
【発明の開示】
【発明が解決しようとする課題】
【０００９】
本発明の目的は、２つの筐体の回転方向のずれを押さえることのできる携帯電話機を提供することにある。
【課題を解決するための手段】
【００１０】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１１】
本発明にかかる携帯電話機（１００）は、第１面（８）を有する第１筐体（２）と、第１筐体（２）に接続され、第１面（８）に垂直に設けられた第１軸（３１）と、第２面（９）を有し、第２面（９）が第１面（８）と平行な状態で第１軸（３１）周りに回動可能な第２筐体（１）と、第１面（８）上に設けられた第１嵌合部（１２、１４）と、第２面（９）上に設けられた第２嵌合部（１３−１、１５−１）と、を具備する。第１嵌合部（１２、１４）及び第２嵌合部（１３−１、１５−１）とは、第２面（９）が第１面（８）に対向した際に嵌合し合うように設けられている。
このように、第１嵌合部と第２嵌合部とが嵌合することで、第１筐体と第２筐体との相対位置が回転方向にずれることが抑制される。
【００１２】
上記の携帯電話機（１００）は、更に、第１軸（３１）に直交し、第１軸（３１）周りに回動する第２軸（３２）を具備することが好ましい。第２筐体（１）は、第２軸（３２）周りにも回動可能であり、第２筐体（１）は、第２軸（３２）を介して第１軸（３１）周りに回動可能である。
【００１３】
上記の携帯電話機（１００）において、第２筐体（１）は、第２面（９）に平行な裏面である第３面（１０）を有している。第３面上（１０）には、第３嵌合部（１３−２、１５−２）が設けられている。第３嵌合部（１３−２、１５−２）は、第３面（１０）が第１面（８）に対向した際に、第１嵌合部（１２、１４）と嵌合するように設けられていることが好ましい。
【００１４】
上記の携帯電話機（１００）は、その１形態において、第１嵌合部（１２、１４）は、２つの凹部であり、第２嵌合部（１３−１、１５−１）は、２つの凸部である。
【００１５】
上記の携帯電話機（１００）は、他の１形態において、第１嵌合部（１２、１４）は、２つの凸部であり、第２嵌合部（１３−１、１５−１）は、２つの凹部であってもよい。
【００１６】
上記の携帯電話機（１００）において、第１面（８）上には送話器（６）が設けられ、第２面（９）上には受話器（７）が設けられている。
【００１７】
上記の携帯電話器（１００）において、第２面（９）上には、表示画面（４）がもうけられている。
【００１８】
上記の携帯電話機（１００）において、第１嵌合部（１２、１４）は、第１面（８）上に貼り付けられた弾性材（１１）に形成されていることが好ましい。
弾性材に、第１嵌合部が設けられていることにより、嵌合時における衝撃が緩和される。よって、第１嵌合部及び第２嵌合部の損傷が防止され、長期的に使用することができる。
【００１９】
上記の携帯電話機（１００）において、第１嵌合部（１２、１４）は、第１軸（３１）と第１面（８）とが交差する側の反対側に設けられている。
第１軸の反対側に第１嵌合部が設けられていることにより、回転方向に対するずれがより精度よく防止される。
【発明の効果】
【００２０】
本発明に依れば、２つの筐体の回転方向のずれが押さえられた携帯電話機が提供される。
【発明を実施するための最良の形態】
【００２１】
（実施形態）
図面を参照して、本実施の形態にかかる携帯電話機１００の構成を説明する。図７Ａは、携帯電話機１００の構成を示す上面図であり、開いた状態の図が描かれている。また、図７Ｂは、図７Ａの側面図である。尚、図７Ｂでは、後述する凹部及び凸部の図示は省略されている。
【００２２】
図７Ａ、Ｂに示されるように、携帯電話機１００は、キーボタン側筐体２、表示側筐体１、及びヒンジ部３、を有している。表示側筐体１は、ヒンジ部３を介して、キーボタン側筐体２に接続されている。尚、以下の説明にあたり、キーボタン側筐体２において、キーボタン等が配置された側を上側とし、その背面を下側とする。
【００２３】
キーボタン側筐体２の上面（第１面８）には、キーボタン５及び送話器６が設けられている。一方、表示側筐体１には、表示画面４及び受話器７が設けられている。表示画面４及び受話器７は、表示側筐体１の一面（第２面９）に設けられている。図７Ａ、Ｂでは、表示側筐体１が、第２面９を上側にして配置されている状態が描かれている。尚、実際には、キーボタン側筐体２には凹部を有する弾性材１１が貼りつけられ、表示側筐体１には凸部１３が設けられているが、図７Ｂにおいては図示が省略されている。これらの構造については後述する。
【００２４】
図７Ｂに示されるように、ヒンジ部３は、第１軸３１と第２軸３２と、を有している。第１軸３１は、第１面８の一方の側で、第１面８に対して垂直に延びるように設けられている。第２軸３２は、一端で第１軸３１に接続されている。第２軸３２は第１軸３１に垂直である。第２軸３２の他端は、表示側筐体１の側面に接続されている。
【００２５】
このようなヒンジ部３の構造によって、表示側筐体１は、第２軸３２回りに回動可能である。また、第２軸３２を介して、第１軸３１回りにも回動可能となっている。図７Ｃ〜図７Ｅは、この回動動作を説明するための側面図である。図７Ｂ〜図７Ｃを参照して、携帯電話器１を開閉する時の構造について説明する。
【００２６】
図７Ｂの状態から、表示側筐体１を第１軸３１回りに１８０°回動させた状態が図７Ｃに描かれている。図７Ｃに示されるように、携帯電話機１００は、表示画面４などの設けられた第２面９を上側にした状態で折り畳まれている。
【００２７】
一方、図７Ｂの状態から、表示側筐体１を第２軸３２周りに１８０°回動させた状態が図７Ｄに描かれている。第２面９が下向きとなった状態である。図７Ｄの状態から、表示側筐体１を第１軸３１周りに１８０°回動させた状態が、図７Ｅに描かれている。携帯電話機１００は、第２面９を第１面１０に対向させた状態で折り畳まれている。
【００２８】
このように、携帯電話機１００は、表示側筐体１の表示画面側を上側と下側の何れの側に向けることができる。そして、表示側筐体１の第２面９とキーボタン側筐体２の第１面８と平行にした状態で、平面方向に回転させることにより、折り畳むことのできる構造となっている。
【００２９】
尚、ヒンジ部３に、更に軸を追加し、平面方向とは直交する方向に表示側筐体１を回転させて折り畳むこともできる構造にしてもよい。
【００３０】
再び図７Ａを参照する。既述のように、キーボタン側筐体２には、弾性材１１が貼りつけられている。弾性材１１は、第１面８上において、ヒンジ部３が設けられた側とは逆側の端部近傍に貼りつけられている。弾性材１１としては、例えばシリコンゴムを用いることができる。弾性材１１には、二箇所に凹部１２が設けられている。図９は、図７Ａにおいて弾性材１１を通るＡＡ断面を示す図である。図９に示されるように、凹部１２は、弾性材１１の両脇に１箇所づつ設けられている。
【００３１】
再び、図７Ａ戻り、表示側筐体１に設けられた凸部１３について説明する。凸部１３は、表示側筐体１に直接に設けられている。凸部１３は、４箇所に設けられている。四つの凸部１３のうち２つの凸部１３−１は、第２面９上に設けられている。図７Ａには、第２面９上の二箇所に凸部１３−１が設けられている様子が描かれている。２つの凸部１３−１は、第２面９上において、ヒンジ部３と接続する側とは反対側に設けられている。
【００３２】
図１１は、第２面９を第１面８に対向させて携帯電話機を折り畳んだ状態を示す図である。弾性材１１などの構成は透視させて示している。図１１に示されるように、第２面９上の２つの凸部１３−１は、第２面９を第１面８に対向させて携帯電話機を折り畳んだ時に、二箇所に設けられた凹部１２の夫々に対応する位置に設けられている。
【００３３】
図１３は、図１１において、凸部１３−１及び凹部１２を通るＣＣ断面を示す図である。図１３に示されるように、携帯電話機１００を折り畳んだ時に、凹部１２と凸部１３−１とが嵌合するようになっている。
【００３４】
一方、４つの凸部１３のうち、他の２つの凸部１３−２は、第２面９の背面である第３面１０に設けられている。図１０は、図７Ａにおいて、２つの凸部１３−２を通るＢＢ断面を示す図である。図１０に示されるように、第３面１０において、第２面９に設けられた凸部１３−１に対応する位置に、２つの凸部１３−２が設けられている。図１２は、第２面を上側として、即ち第３面１０を第１面８に対向させて、携帯電話機１００を折りたたんだ状態を示す図である。図１２に示されるように、第２面９を上側にして携帯電話機１００を折り畳んだ時には、第３面１０上に設けられた凸部１３−２が、凹部１２に嵌合する。
【００３５】
これらの凸部１３は、曲面で形成されていることが好ましい。曲面で形成されていることにより、回転時の凸部１３と筐体との擦れによる塗装剥がれなどを抑制することができる。また、凹部１２及び凸部１３の高さは、携帯電話機１００を閉じた時に、表示側筐体１とキーボタン側筐体２との間のクリアランスが適切なものとなるように設計される。
【００３６】
以上説明したように、本実施の携帯にかかる携帯電話機１００では、キーボタン側筐体２に対して表示側筐体１を平面方向で回転させて折り畳んだ時に、凸部１３と凹部１２とが嵌合するので、回転方向の位置ずれが抑制される。
【００３７】
また、キーボタン側筐体２に設けられた凸部１３は、弾性材１１に設けられているので、表示側筐体１が凸部１３上を移動する時にも妨害とならない。さらには、嵌合時の衝撃が防止されるので、凹部１２及び凸部１３の損傷が防止される。
【００３８】
尚、本実施の形態においては、キーボタン側筐体２の弾性材に凸部１３が設けられた場合について説明したが、図１４に示されるように、キーボタン側筐体２の弾性材１１には凹部１４が設けられ、表示側筐体１には凸部１５−１、１５−２が設けられていてもよい。
【図面の簡単な説明】
【００３９】
【図１】従来の携帯電話機の構造を示す上面図である。
【図２】従来の携帯電話機の構造を示す上面図である。
【図３】従来の携帯電話機の構造を示す上面図である。
【図４】従来の携帯電話機の構造を示す上面図である。
【図５】従来の携帯電話機の構造を示す上面図である。
【図６】従来の携帯電話機の構造を示す上面図である。
【図７Ａ】本発明にかかる携帯電話機の構造を示す上面図である。
【図７Ｂ】本発明にかかる携帯電話機の側面図である。
【図７Ｃ】本発明にかかる携帯電話機の側面図である。
【図７Ｄ】本発明にかかる携帯電話機の側面図である。
【図７Ｅ】本発明にかかる携帯電話機の側面図である。
【図８】本発明にかかる携帯電話機の構造を示す上面図である。
【図９】図７ＡのＡＡ断面を示す図である。
【図１０】図７ＡのＢＢ断面を示す図である。
【図１１】本発明にかかる携帯電話機の構造を示す上面図である。
【図１２】本発明にかかる携帯電話機の構造を示す上面図である。
【図１３】図１１のＣＣ断面を示す図である。
【図１４】図１１のＣＣ断面の他の例を示す図である。
【符号の説明】
【００４０】
１      表示側筐体
２      キーボタン側筐体
３      ヒンジ部
３１  第１軸
３２  第２軸
４      表示画面
５      キーボタン
６      送話器
７      受話器
８      第１面
９      第２面
１０    第３面
１１    弾性材
１２    凹部
１３    凸部
１４    凹部
１５    凸部
１００  携帯電話機
【図１】
2007335949.tif 000003
【図２】
2007335949.tif 000004
【図３】
2007335949.tif 000005
【図４】
2007335949.tif 000006
【図５】
2007335949.tif 000007
【図６】
2007335949.tif 000008
【図７Ａ】
2007335949.tif 000009
【図７Ｂ】
2007335949.tif 000010
【図７Ｃ】
2007335949.tif 000011
【図７Ｄ】
2007335949.tif 000012
【図７Ｅ】
2007335949.tif 000013
【図８】
2007335949.tif 000014
【図９】
2007335949.tif 000015
【図１０】
2007335949.tif 000016
【図１１】
2007335949.tif 000017
【図１２】
2007335949.tif 000018
【図１３】
2007335949.tif 000019
【図１４】
2007335949.tif 000020